(57)【要約】      （修正有）【課題】太陽電池モジュールの絶縁検査において、連続して正確に測定することが可能な、より簡易な検査方法を提供する。【解決手段】太陽電池モジュールの絶縁検査において、山１１２ａ，１１２ｂと谷１１１を有しており、山１１２ａ，１１２ｂと谷１１１の高さの差が０．５ｍｍ以上である絶縁検査用プローブを用いる。【選択図】図５
2015035435.tif 000002
【特許請求の範囲】
【請求項１】
太陽電池モジュールの絶縁検査用プローブであって、
前記絶縁検査用プローブの先端は、山と谷を有しており、
前記山と前記谷の高さの差は、０．５ｍｍ以上である太陽電池モジュールの絶縁検査用プローブ。
【請求項２】
前記谷は、半田ボールをにがす機能を有する請求項１記載の太陽電池モジュールの絶縁検査用プローブ。
【請求項３】
前記山は直線状の形状を有する請求項１または２記載の太陽電池モジュールの絶縁検査用プローブ。
【請求項４】
前記山は点状の形状を有する請求項１または２記載の太陽電池モジュールの絶縁検査用プローブ。
【請求項５】
前記谷は複数である請求項１から４のいずれかに記載の太陽電池モジュールの絶縁検査用プローブ。
【請求項６】
前記山と前記谷の高さの差は、１．３ｍｍ以上である請求項１から５のいずれかに記載の太陽電池モジュールの絶縁検査用プローブ。
【請求項７】
太陽電池モジュールの絶縁検査方法であって、
一対の絶縁検査用プローブの一方を、前記太陽電池モジュールの端子ボックス中の金属露出部に接触させる金属露出部接触工程と、
前記絶縁検査用プローブの他方を、前記太陽電池モジュールの周辺部に接触させる周辺部接触工程と、
電圧を印加する電圧印加工程と、
抵抗値を測定する抵抗測定工程を有する太陽電池モジュールの絶縁検査方法。
【請求項８】
前記絶縁検査用プローブは、先端が山と谷を有し、前記山と前記谷の高さの差が０．５ｍｍ以上である請求項７記載の太陽電池モジュールの絶縁検査方法。
【請求項９】
光電変換素子の電極端子部と電気的につながる出力リード線と、端子ボックス中の端子台に出力リード線を固定する出力リード線取付け工程と、太陽電池モジュールの絶縁検査工程を有する太陽電池モジュールの製造方法であって、
前記太陽電池モジュールの絶縁検査工程は、太陽電池モジュールの一対の絶縁検査用プローブの一方を、太陽電池モジュールの端子ボックス中の金属露出部に接触させる金属露出部接触工程と、前記絶縁検査用プローブの他方を、太陽電池モジュールの周辺部に接触させる周辺部接触工程と、電圧を印加する電圧印加工程と、抵抗値を測定する抵抗測定工程を有する太陽電池モジュールの製造方法。
【発明の詳細な説明】
【技術分野】
【０００１】
本発明は、太陽電池モジュールの絶縁検査用プローブ、検査用プローブを用いた太陽電池モジュールの絶縁検査方法、および太陽電池モジュールの製造方法に関する。
【背景技術】
【０００２】
太陽電池は、半導体材料を利用した光電変換素子に太陽光等の光を入射させることによって、光電変換素子の正極と負極との間に起電力を生じさせるものである。また、太陽電池は、屋外に設置されることが多く、一般的に、光電変換素子を封止した太陽電池モジュールとして設置される。
【０００３】
図１２に、特許文献１に開示された太陽電池モジュールの構造を示す。太陽電池モジュール２００は、直列に接続された多数の太陽電池セル２０１と、枠状のアルミニウム製の支持フレーム２０２からなっている。支持フレーム２０２は、透光性の高い前面カバー部材と、耐候性に優れた裏面カバー部材２０３と、その中間に封入する樹脂により太陽電池セル２０１を保護する構造体を支持するものである。端子ボックス装置２０５は、裏面カバー部材２０３に取り付けられ、太陽電池モジュール２００の出力部を構成している。端子ボックス装置２０５には、他の太陽電池モジュール２００に延びるモジュール連結ケーブル２０４が接続されている。
【０００４】
また、出力部を構成する部分の１つである端子ボックスの一般的な構造を以下に説明する。図１３に、特許文献２に開示された太陽電池の出力部を構成する端子ボックスを示す。太陽電池用の端子ボックス装置２０５は、太陽電池の出力取出用電極材が挿通される挿通口２０９を有する筐体２０８の内部に、接続部２１０を備えた複数の中継端子２０７、これらの中継端子２０７に接続されるバイパスダイオードとしての薄型ベアチップ２０６を配設した太陽電池モジュールの出力部を構成するものである。太陽電池の出力取出用電極材として、太陽電池のプラス電極とマイナス電極にそれぞれ結線した二本のリード線が用いられている。この出力取出用電極材が、半田付等の接合手段によって接続部２１０に電気的に接続されている旨が開示されている。
【０００５】
太陽電池モジュールは、屋外で、雨に打たれるなどしても漏電が生じないよう、光電変換素子と周辺部材との間での絶縁性能が求められている。そのため、太陽電池モジュールの信頼性を確保するために、絶縁検査を行う必要がある。絶縁検査方法としては、例えば、薄膜太陽電池モジュールの国際規格のひとつであるＩＥＣ６１６４６、及び結晶系太陽電池モジュールの国際規格のひとつであるＩＥＣ６１２１５に、光電変換素子と太陽電池モジュールの周辺フレーム等の金属部分との間に電圧を印加し、絶縁試験を行う旨が規定されている。
【先行技術文献】
【特許文献】
【０００６】
【特許文献１】特開２０１０−１６５７４９号公報
【特許文献２】特開２００１−１６８３６８号公報
【発明の概要】
【発明が解決しようとする課題】
【０００７】
図１２で示した太陽電池モジュールにおいて、ＩＥＣ６１６４６、及びＩＥＣ６１２１５に規定された絶縁試験を行おうとすると、太陽電池セル２０１の出力部を構成する部分の１つであるモジュール連結ケーブル２０４と、アルミ製の支持フレーム２０２との間に電圧を印加し、絶縁試験を行うことになる。
【０００８】
しかしながら、太陽電池モジュールの連結ケーブルは、一般的に、先端はコネクタであり、電圧を印加する際にはプローブを差し込み、電圧印加後にはプローブをはずすという作業が必要となる。また、ケーブルは、柔軟性をもち動きやすいものであり、機械でつかむのは難しい。よって、太陽電池モジュールの連結ケーブルに、電圧を印加する工程の自動化が難しく、連続して正確に測定することが可能な、より簡易な検査方法が求められていた。
【０００９】
本発明は、上記の問題に鑑みてなされたものであり、その目的は、太陽電池モジュールの光電変換素子と太陽電池モジュール周辺部との間の絶縁検査において、連続して正確に測定することが可能となる太陽電池モジュールの絶縁検査用プローブ、および検査用プローブを用いた太陽電池モジュールの絶縁検査方法を提供することにある。
【課題を解決するための手段】
【００１０】
本発明に係る太陽電池モジュールの絶縁検査用プローブは、先端に、山と谷を有しており、山と谷の高さの差は、０．５ｍｍ以上であることを特徴としている。
【００１１】
本発明に係る太陽電池モジュールの絶縁検査用プローブの谷は、半田ボールをにがす機能を有することを特徴としている。
【００１２】
本発明に係る太陽電池モジュールの絶縁検査用プローブの山は直線状の形状を有することを特徴としている。
【００１３】
本発明に係る太陽電池モジュールの絶縁検査用プローブの山は点状の形状を有することを特徴としている。
【００１４】
本発明に係る太陽電池モジュールの絶縁検査用プローブの谷は、複数であることを特徴としている。
【００１５】
本発明に係る太陽電池モジュールの絶縁検査用プローブの山と谷の高さの差は、１．３ｍｍ以上であることを特徴としている。
【００１６】
本発明に係る太陽電池モジュールの絶縁検査方法は、太陽電池モジュールの一対の絶縁検査用プローブの一方を、太陽電池モジュールの端子ボックス中の金属露出部に接触させる金属露出部接触工程と、絶縁検査用プローブの他方を、太陽電池モジュールの周辺部に接触させる周辺部接触工程と、電圧を印加する電圧印加工程と、抵抗値を測定する抵抗測定工程を有することを特徴としている。
【００１７】
本発明に係る太陽電池モジュールの絶縁検査方法の金属露出部接触工程は、先端が山と谷を有し、山と谷の高さの差が０．５ｍｍ以上である絶縁検査用プローブを用いることを特徴としている。
【００１８】
本発明に係る太陽電池モジュールの製造方法は、光電変換素子の電極端子部と電気的につながる出力リード線と、端子ボックス中の端子台に出力リード線を固定する出力リード線固定工程と、太陽電池モジュールの絶縁検査工程を有する太陽電池モジュールの製造方法であって、太陽電池モジュールの絶縁検査工程は、太陽電池モジュールの一対の絶縁検査用プローブの一方を、太陽電池モジュールの端子ボックス中の金属露出部に接触させる金属露出部接触工程と、絶縁検査用プローブの他方を、太陽電池モジュールの周辺部に接触させる周辺部接触工程と、電圧を印加する電圧印加工程と、抵抗値を測定する抵抗測定工程を有することを特徴としている。
【発明の効果】
【００１９】
本発明に係る太陽電池モジュールの絶縁検査用プローブ、および検査用プローブをもちいた太陽電池モジュールの絶縁検査方法を用いることで、連続して正確に絶縁検査を行うことが可能となる。
【図面の簡単な説明】
【００２０】
【図１】本発明の実施例１を示すものであって、太陽電池モジュールの分解断面図である。
【図２】本発明の実施例１を示すものであって、太陽電池モジュールの端子ボックスの平面図である。
【図３】本発明の実施例１を示すものであって、太陽電池モジュールの製造方法のフロー図である。
【図４】本発明の実施例１を示すものであって、太陽電池モジュールの絶縁検査方法のフロー図である。
【図５】本発明の実施例２を示すものであって、絶縁検査用プローブの先端である。
【図６】本発明の実施例２を示すものであって、絶縁検査用プローブの先端が被測定部と接触したときの断面図である。
【図７】本発明の実施例３を示すものであって、絶縁検査用プローブの先端に２つの点状の尖った箇所を有する場合の図である。
【図８】本発明の実施例３の別の例を示すものであって、絶縁検査用プローブ全体が円柱状の場合の図である。
【図９】本発明の実施例４を示すものであって、絶縁検査用プローブの先端に４つの点状の尖った箇所を有する場合の図である。
【図１０】本発明の実施例４の別の例を示すものであって、絶縁検査用プローブの先端に６本の凹部を有する場合の図である。
【図１１】本発明の実施例５を示すものであって、絶縁検査用プローブの先端に１０本の凹部を有する場合の図である。
【図１２】本発明の従来技術を示すものである。
【図１３】本発明の従来技術を示すものである。
【発明を実施するための形態】
【実施例１】
【００２１】
実施例１として、絶縁検査用プローブを用いた太陽電池モジュールの絶縁検査方法、および太陽電池モジュールの製造方法について示す。
【００２２】
図１は、本発明の太陽電池モジュールを製造する際の断面図である。太陽電池モジュールは、基板上に形成された光電変換素子１０１の一端の表面電極上、及び他端部の裏面電極上に形成された端子電極を備えている。端子電極には、端子電極に重ねて配置されたバスバーリード１０２が接続されている。バスバーリード１０２は、半田めっきされた銅線で形成されている。また、バスバーリード１０２には、光電変換素子１０１で発生した電力を外部に取り出すための出力リード線１０３（特許文献２における出力取出用電極材）が、半田付けによって接続されている。出力リード線１０３は、絶縁部材であるＰＥＴ（ポリエチレンテレフタレート）によって被覆された被覆導線を用いた。出力リード線１０３を設けた状態で、光電変換素子の裏面側を封止するために、裏面側に、充填部材シート１０４及び裏面ガラス１０５が積層される。基板と裏面ガラス１０５は、真空ラミネート処理等の加熱加圧処理によって、充填部材シート１０４を介して接着される。充填部材シート１０４及び裏面ガラス１０５は、いずれも出力リード線１０３の先端を引き出すための開口部を有している。
【００２３】
裏面ガラス１０５のリード引出し開口部から引き出された出力リード線１０３は、裏面ガラス１０５に接着固定される端子ボックス１０６内で、端子台（特許文献２における接続部）に接続され、同じく端子ボックス１０６内で端子台に接続された電力取り出しケーブル（特許文献２におけるモジュール連結ケーブル）を通じて外部に電力を取り出すことができる。
【００２４】
図２は、端子ボックスの蓋体を取り外した状態の平面図である。蓋体を取り外した端子ボックス１０６は、少なくとも、出力リード線１０３と、端子台１０７と、電力取り出しケーブル１０９を有している。また、太陽電池モジュールの裏面ガラス１０５の開口部から引き出された２本の出力リード線１０３を端子ボックス内部に導入するための２つのリード線開口部１０８を有している。リード線開口部１０８の横には、端子台１０７が設けられており、内部に導入された出力リード線１０３は、端子台１０７に固定されている。端子台１０７に固定された電力取り出しケーブル１０９により、端子ボックスから電力を取り出すことができる。
【００２５】
図３は、本発明の太陽電池モジュールの製造方法を示すフロー図である。図３を用いて、太陽電池モジュールの製造方法について以下に説明する。
【００２６】
まず、光電変換素子形成工程Ｓ１（Ｓはステップを表す。以下同様）において、光電変換素子を形成する。
【００２７】
その後、出力リード線取付け工程Ｓ２において、光電変換素子の両端に形成された端子電極にバスバーリード１０２を接続し、さらにバスバーリード１０２に出力リード線１０３を接続した。接続は、それぞれ半田付けによって行った。
【００２８】
その後、封止工程Ｓ３において、基板と、基板上に形成された光電変換素子１０１と、充填部材シート１０４と、裏面ガラス１０５を加熱封止した。
【００２９】
その後、端子ボックス取付け工程Ｓ４で、端子ボックス１０６を裏面ガラス１０５に接着固定した。
【００３０】
その後、出力リード線取付け工程Ｓ５で、出力リード線１０３を端子ボックス１０６中の端子台１０７に取付けた。取付け方法として、半田付けを用いた。
【００３１】
さらに、絶縁検査工程Ｓ６で、太陽電池モジュールの絶縁検査を行った。絶縁検査についての詳細は、後に、図４を用いて説明する。
【００３２】
さらに、端子ボックス蓋閉め工程Ｓ７で、端子ボックスの蓋をしめる。必要に応じて、端子ボックス内に充填材を入れる。充填材としては、絶縁性の樹脂が用いられる。充填材を入れることで、端子ボックス１０６の中に水がたまることを防ぐことが可能となる。
【００３３】
太陽電池モジュール製造工程の中で、簡易に絶縁試験を行うことができる段階を検討したところ、端子台に、出力リード線を接合した段階が、適当であることがわかった。この段階であれば、太陽電池モジュールの光電変換素子側として、端子台に検査用プローブを接触させ、絶縁試験のための電圧を印加することが可能である。この場合、連結ケーブルに検査用プローブをつないで電圧を印加するより、端子台に検査用プローブを接触させ電圧を印加するほうが、より簡便に測定を行うことが可能であることがわかった。検査用プローブを上下させるという動作ですむためである。
【００３４】
図４は、本発明の太陽電池モジュールの絶縁検査方法を示すフロー図である。図４を用いて、絶縁検査工程Ｓ６で行う太陽電池モジュールの絶縁検査方法について以下に説明する。
【００３５】
まず、金属露出部接触工程Ｓ１１において、絶縁検査における電圧印加の一端として、端子ボックス１０６内の端子台１０７に、一対の絶縁検査用プローブの一方を接触させた。
【００３６】
尚、本願において、金属露出部とは、端子ボックス１０６内の、端子台１０７、出力リード線１０３を含む、光電変換素子で発生した起電力を直接取り出すことができる箇所を示しており、電力取り出しケーブル１０９と端子台１０７との接続部も、金属露出部に含まれる。
【００３７】
次に、周辺部接触工程Ｓ１２において、電圧印加の他方の一端として、太陽電池モジュールのフレームに一対の絶縁検査用プローブの他方を接触させた。太陽電池モジュールのフレームは、アルミニウムで構成されている。
【００３８】
さらに、電圧印加工程Ｓ１３において、１０００Ｖの電圧を印加した。
【００３９】
その後、抵抗測定工程Ｓ１４において、流れる電流を測定することで、太陽電池モジュールの抵抗値を得た。
【００４０】
絶縁検査工程Ｓ６で、絶縁性能が不十分と判断された太陽電池モジュールに関しては、続けて端子ボックス蓋閉め工程Ｓ７を行わないこととすることで、不要な作業工程を減らすことが可能となった。
【実施例２】
【００４１】
出力リード線を端子台に電気的に接合する際の接合手段として、半田付けを用いた場合、半田中の樹脂成分や半田ボールが、金属露出部にとびちる場合があった。
【００４２】
一方、検査用プローブを金属露出部に接触させた場合、接触抵抗が大きくなり、連続して正確に絶縁性能を測定できないことがあった。その原因の１つとして、とびちった半田中の樹脂成分が金属露出部に被膜を形成し、検査用プローブの先が金属露出部に十分に接触しない場合があるためであることがわかった。また、飛び散った半田ボールが、検査用プローブの先についた場合、次の検査では、検査用プローブは、先についた半田を介して金属露出部に接触することになるため、十分に接触しなくなることがあることもわかった。
【００４３】
本実施例は、上記の太陽電池モジュールの絶縁検査用プローブを端子ボックス内の金属露出部に接触させた場合におこる問題を解決するものである。
【００４４】
図５に、実施例２の太陽電池モジュールの絶縁検査用プローブの先端を示す。図５（ａ）は、プローブの先端を真上から見た図であり、図５（ｂ）は、図５（ａ）のＡ―Ａ´断面を示す図である。図５（ｃ）は、プローブの先端の斜視図である。プローブの先端は、断面がМ字状に形成されており、対向する直線状の尖った部分１１２ａ、１１２ｂから中央に向かって凹部を形成している。凹部の中央部の一番窪んだ箇所１１１は、直線状になっている。プローブ先端の凹部の一番窪んだ箇所１１１と尖った部分１１２ａ、１１２ｂとの高さの差ｈは、１．３ｍｍであり、プローブは一辺の長さｉが４ｍｍの直方体である。高さの差ｈとは、プローブ先端の一番窪んだ箇所と尖った部分との高さの差を示すものである。高さの差ｈが、１．３ｍｍの場合、プローブの一辺の長さiは２ｍｍ以上が望ましい。プローブの先端の強度が安定するためである。
【００４５】
なお、本明細書において、プローブの先端の尖った部分を山とし、一番窪んだ箇所を谷とした。
【００４６】
図６に、本実施例の太陽電池モジュールの絶縁検査用プローブを用いて、絶縁検査を行う際の断面図を示す。
【００４７】
プローブを接触させる、端子ボックス中の金属露出部には、端子台に出力リード線を半田づけにより接続する際に、半田ボールが飛び散る場合がある。本実施例のように、プローブの先端部分１１３が、М字状に切り取られた凹部を有し、高さの差ｈが１．３ｍｍあることで、金属露出部１１４上の半田ボール１１６が、プローブ先端の凹部に入りこんだ場合も、プローブ先端の尖った部分１１２ａ、ｂは、金属露出部１１４に接触することが可能となる。端子ボックス中に飛び散った半田ボールの大きさは、一様ではないが、プローブ先端の一番窪んだ箇所と尖った部分との高さの差は、１．３ｍｍあれば十分な大きさである。
【００４８】
また、プローブの先端部分１１３が、М字状に形成されていることで、凹部に入り込んだ半田ボール１１６は、プローブの先端に残らなくなる。なぜなら、半田ボール１１６は、プローブの先端に留まることなく、側方に逃げていくからである。よって、プローブを連続して用いることが可能となる。
【００４９】
さらに、プローブを接触させる、端子ボックス中の金属露出部には、端子台に出力リード線を半田づけにより接続する際に、半田中の樹脂が表面に残る場合がある。プローブの先端に尖った部分１１２ａ、１１２ｂを有することで、金属露出部１１４上に半田中の樹脂１１５が載っている場合でも、プローブの先端部分は半田中の樹脂１１５を突き破り、金属露出部１１４に接触することが可能となる。
【００５０】
本実施例の検査プローブを用いて、実施例１で示した工程Ｓ１１〜Ｓ１４を含む太陽電池モジュールの絶縁検査を、太陽電池モジュールを変え、繰り返し３０回行った。３０回行った後で、絶縁試験用プローブの先端を確認したところ、プローブの先端部分にある凹部への半田ボールの残留は観察されなかった。プローブの先端部分にある凹部が端まで貫通していることで、凹部に入り込んだ半田ボールがあった場合でも、プローブの先端には残留しなかったと推測される。以上のように、本実施例の縁検査用プローブを用いたことで、半田づけの際に発生する半田ボールのとびちりの影響を受けず、連続した正確な測定が可能となった。
【００５１】
また、絶縁検査を３０回行った中で、絶縁性能が十分ではないものがあった。絶縁性能が不十分な太陽電池モジュールに関しては、この後の端子ボックスの蓋体を取り付ける工程にはまわさなかった。端子ボックスの蓋体を取り付ける前に絶縁検査を行ったことで、早い段階で不良品を見つけることができ、その後の工程を行わないことが可能となった。
【００５２】
金属露出部への絶縁検査用プローブの接触は、装置を用いて自動で行ってもよい。自動で行う場合には、金属露出部と絶縁検査用プローブを接触させる際の位置ずれによる、測定不良が発生する可能性があるため、絶縁端子用プローブの先端部分の接触する面積は小さいほうが望ましい。測定を安定させるためには、金属露出部の面積の１／２以下とすることが適当である。
【実施例３】
【００５３】
図７に、実施例３の太陽電池モジュールの絶縁検査用プローブの先端を示す。実施例２と異なる点は、プローブの先端の尖った部分は、直線状ではなく点状であることである。図７（ａ）は、プローブの先端を真上から見た図である。図７（ｂ）は、図７（ａ）のＢ―Ｂ´断面を示すものであり、図７（ｃ）は、プローブの先端の斜視図である。プローブ全体は直方体の形状を持っており、点状の尖った部分と、一番窪んだ箇所の高さの差は１．３ｍｍ、プローブの一辺の長さは４ｍｍである。プローブの先端は、断面がМ字状に形成されており、向いあう点状の尖った部分１１２ｃ、１１２ｄから中央に向かって凹部を形成している。凹部の中央部の一番窪んだ箇所１１１は、直線状になっている。
【００５４】
図７（ａ）で示したように、プローブの先端は、直線で構成される凹部の一番窪んだ箇所１１１と、２つのプローブの先端の尖った部分１１２ｃ、１１２ｄを有する。
【００５５】
実施例２と同様に、プローブの先端部分が凹部を有し、高さの差が１．３ｍｍあることで、太陽電池モジュールの端子ボックス中の金属露出面に存在する半田ボールが凹部に入り込んだ場合も、半田ボールが、プローブの先端に残りにくくなる。さらに、プローブ先端の尖った箇所が、直線状ではなく点状であることで、金属露出面上に半田中の樹脂があった場合でも、より確実にプローブの先端部分が樹脂を突き破り、金属露出部に接触することが可能となる。
【００５６】
図８は、実施例３の別の例である。図７で示した例と異なる点は、プローブ全体の形状が直方体ではなく、円柱であることである。図８（ａ）は、プローブの先端を真上から見た図であり、図８（ｂ）は、図８（ａ）のＣ―Ｃ´断面を示すものであり、図８（ｃ）は、プローブの先端の斜視図である。プローブの先端は、断面がМ字状に形成されており、向いあう点状の尖った部分１１２ｅ、１１２ｆから中央に向かって凹部を形成している。凹部の中央部の一番窪んだ箇所１１１は、直線状になっている。プローブ全体の形状は、円柱であっても、直方体の場合と同様の効果を得ることができる。
【実施例４】
【００５７】
図９に、実施例４の太陽電池モジュールの絶縁検査用プローブの先端を示す。実施例３と異なる点は、プローブ全体の形状が円柱であり、さらに、プローブの先端の点状の尖った部分が２個ではなく、４個ある点である。図９（ａ）は、プローブの先端を真上から見た図であり、図９（ｂ）は、図９（ａ）のＤ―Ｄ´断面を示すものである。図９（ｃ）は、プローブの先端の正面図であり、図９（ｄ）は、プローブの先端の側面図である。プローブ全体は円柱体の形状を持っており、点状の尖った部分と直線状の一番窪んだ箇所の高さの差は１．３ｍｍ、プローブの直径は４ｍｍである。
【００５８】
プローブの先端は、断面がМ字状に形成されており、凹部の中央部の一番窪んだ箇所１１１は直線状になっている。本実施例において、直線状の一番窪んだ箇所は２本、向いあう点状の尖った部分は２組あり、尖った部分１１２ｇ、１１２ｉと、１１２ｈ、１１２ｊはそれぞれ中央に向かって、凹部を形成している。
【００５９】
実施例２および実施例３と同様に、プローブの先端部分に、凹部を有し、高さの差が１．３ｍｍあることで、太陽電池モジュールの端子ボックス中の金属露出面上に存在する半田ボールが凹部に入り込んだ場合も、半田ボールがプローブの先端に残りにくくなる。かつ、先端の尖った箇所が直線状でなく点状であることで、金属露出面上に半田の樹脂があった場合でも、より確実にプローブの先端が樹脂を突き破り、金属露出部に接触することが可能となる。
【００６０】
さらに、プローブの先端に、点状の４個の尖った箇所を有することで、尖った箇所が２個の場合と比較して数が多いため、より確実に金属露出部に接触することが可能となるとともに、プローブと金属露出部の接触面積が増えるため、接触抵抗を小さくすることが可能となる。
【００６１】
さらに、プローブ先端の断面がМ字状に形成されており、直線状の凹部の中央部の一番窪んだ箇所が２本あることで、凹部に入り込んだ半田ボールの形状は、４方向に変化することが可能となる。よって、プローブの先端が、金属露出面に対し垂直に接触しなかった場合でも、半田ボールが先端に残りにくくなる。
【００６２】
尚、２本の直線状の一番窪んだ箇所は、互いに垂直に交わる必要はない。
【００６３】
図１０は、実施例４の別の例である。図９で示した例と異なる点は、４個の点状の尖った部分がプローブを形成する円柱の内側に位置しているため、直線状の凹部の一番窪んだ箇所１１１が、２本だけではなく、さらに周囲に４本ある点である。
【００６４】
図１０（ａ）は、プローブの先端を真上から見た図であり、図１０（ｂ）は、図１０（ａ）のＥ―Ｅ´断面を示すものである。図１０（ｃ）は、プローブの先端の正面図である。プローブの先端は、断面がМ字状に形成されており、凹部の一番窪んだ箇所１１１は直線状になっており、直線状の一番窪んだ箇所は中央に２本、外側に４本の計６本ある。向いあう点状の尖った部分は、尖った部分１１２ｋ、１１２ｍと、１１２ｌ、１１２ｎの４個あり、プローブの先端の円柱の外周より内側にある。図９で示した例と同じく、プローブの高さの差は１．３ｍｍ、プローブの直径は４ｍｍであるが、点状の尖った部分が、円柱の外周円の内側にあることで、プローブが接触するために必要な面積を小さくすることができる。よって、金属露出部の面積が小さい場合にも測定することが可能となる。
【実施例５】
【００６５】
図１１に、実施例５の太陽電池モジュールの絶縁検査用プローブの先端を示す。実施例４で示した例と異なる点は、点状の尖った部分が２４個あり、直線状の凹部の一番窪んだ箇所１１１は、２本ではなく１０本ある点と、プローブの高さの差である。
【００６６】
図１１（ａ）は、プローブの先端を真上から見た図であり、図１１（ｂ）は、図１１（ａ）のＦＦ´断面を示すものである。図１１（ｃ）は、プローブの先端の正面図である。プローブの先端は、四角錐が複数並んだ形をしており、凹部の中央部の一番窪んだ箇所１１１は直線状になっており、直線状の一番窪んだ箇所は５本づつ交差して１０本ある。点状の尖った部分は、尖った部分１１２ｏ、１１２ｐ、１１２ｑ、１１２ｒ、１１２ｓ、１１２ｔ、１１２ｕを含み２４個あり、プローブの先端の円柱の外周上の内側にある。
【００６７】
図１１を用いて示したように、プローブの先端に、点状の尖った部分の数を多くすることで、より確実に金属露出部に接触することが可能となるとともに、プローブと金属露出部の接触面積が増えるため、接触抵抗を小さくすることが可能となる。
【００６８】
さらに、点状の尖った部分と直線状の凹部の一番窪んだ箇所の数を多くしたことで、プローブの先端が、金属露出面に対し垂直に接触しなかった場合でも、半田ボールは、より先端に残りにくくなる。
【００６９】
図１１を用いて示した実施例のプローブは、プローブ全体は円柱体の形状を持っており、高さの差は０．５ｍｍ、プローブの直径は４ｍｍである。点状の尖った部分と直線状の凹部の中央部の一番窪んだ箇所の数を多くしたことで、高さの差が小さくても、半田ボールが先端に残りにくくなることがわかった。
【００７０】
尚、周辺検査部に接触させる絶縁検査用プローブは、実施例２から５で示した絶縁検査用プローブに限定されるものではない。
【００７１】
以上、各実施例を用いて具体的に説明を行ったが、本発明はそれらに限定されるものではない。上述した実施例のそれぞれ開示された技術的手段を適宜組み合わせて得られる実施形態についても本発明の技術的範囲に含まれる。
【産業上の利用可能性】
【００７２】
本発明に係る太陽電池モジュールの絶縁検査用プローブ、および検査用プローブを用いた太陽電池モジュールの絶縁検査方法は、太陽電池モジュールの絶縁検査全般に広く適用することができる。
【符号の説明】
【００７３】
１０１  光電変換素子
１０２  バスバーリード
１０３  出力リード線
１０４  充填部材シート
１０５  裏面ガラス
１０６  端子ボックス
１０７  端子台
１０８  リード線開口部
１０９  電力取り出しケーブル
１１１  一番窪んだ箇所
１１２  尖った部分
１１３  プローブの先端部分
１１４  金属露出部
１１５  半田中の樹脂
１１６  半田ボール
【図１】
2015035435.tif 000003
【図２】
2015035435.tif 000004
【図３】
2015035435.tif 000005
【図４】
2015035435.tif 000006
【図５】
2015035435.tif 000007
【図６】
2015035435.tif 000008
【図７】
2015035435.tif 000009
【図８】
2015035435.tif 000010
【図９】
2015035435.tif 000011
【図１０】
2015035435.tif 000012
【図１１】
2015035435.tif 000013
【図１２】
2015035435.tif 000014
【図１３】
2015035435.tif 000015